(57)【特許請求の範囲】
【請求項１】
検体が流れる検体流路と、
試薬が流れる試薬流路と、
前記検体流路に設けられ、前記検体が定量される検体定量部と、
前記試薬流路に設けられ、前記試薬が定量される試薬定量部と、
前記検体定量部と前記試薬定量部とに繋がり、前記検体定量部において定量された前記検体と前記試薬定量部において定量された前記試薬とが混合される混合部と、
前記試薬流路に設けられ、前記試薬定量部と前記混合部とを接続する接続流路と、
前記接続流路に設けられ、前記試薬定量部の容量よりも小さい容量を有し、前記試薬定量部から前記混合部に流れる前記試薬のうちの一部を保持可能な部分受け部と
を備えた検査チップであって、
前記接続流路は、前記検査チップに対して、第１の方向に遠心力が印加されたときに、前記試薬の一部が前記部分受け部の開口を介して前記部分受け部に流入し、前記部分受け部に保持されるとともに、前記一部以外の試薬が前記混合部側に供給されるように構成され、
前記部分受け部は、前記検査チップに対して、前記第１の方向とは異なる第２の方向に遠心力が印加されるまでは、前記一部の試薬を保持し、前記第２の方向に遠心力が印加されたときに、保持された前記一部の試薬が前記開口から流出し、前記接続流路に沿って前記混合部側に供給されるように構成されたことを特徴とする検査チップ。
【請求項２】
前記検査チップに対して前記第１の方向に遠心力が印加され、前記一部以外の試薬が前記混合部に流入された後において、前記検体定量部において定量された前記検体が前記混合部に流入され、
前記検体が前記混合部に流入された後、前記検査チップに対して前記第２の方向に遠心力が印加されたときに、前記一部の試薬が前記混合部に流入される構成を有することを特徴とする請求項１に記載の検査チップ。
【請求項３】
前記部分受け部は、前記第１の方向と反対方向に開口する凹部であることを特徴とする請求項１又は２に記載の検査チップ。
【請求項４】
前記接続流路において前記部分受け部と前記混合部との間に設けられ、前記第２の方向と反対方向に開口する凹部である試薬受け部を備えたことを特徴とする請求項１から３のいずれかに記載の検査チップ。
【請求項５】
前記試薬定量部に前記試薬を案内する試薬案内部と、
前記接続流路において前記試薬定量部に接続され、前記試薬定量部における混合部側の端部を通って前記第２の方向と直交する試薬仮想面より、前記試薬案内部側に傾いた試薬流路壁面と
を備え、
前記試薬流路壁面における前記混合部側の端部から、前記試薬流路壁面に垂直な方向に引いた仮想線は、前記部分受け部又は前記部分受け部より前記試薬定量部側の前記接続流路の部位と交差することを特徴とする請求項１から４のいずれかに記載の検査チップ。
【請求項６】
前記検体定量部に前記検体を案内する検体案内部と、
前記検体定量部の前記混合部側の流路において前記検体定量部に接続され、前記検体定量部における前記混合部側の端部を通って前記第２の方向と直交する検体仮想面より、前記検体案内部側に傾いた検体流路壁面と
を備え、
前記検体流路壁面における前記混合部側の端部から、前記検体流路壁面に垂直な方向に引いた仮想線は、前記混合部における前記検体流路壁面と平行な混合仮想面と交差し、
前記混合部における、前記混合仮想面より前記検体流路壁面から遠い側の部位と前記混合仮想面とに囲まれる領域の容量は、前記試薬定量部の容量から前記部分受け部の容量を引いた差分容量以下であることを特徴とする請求項１から５のいずれかに記載の検査チップ。
【請求項７】
前記混合部において前記試薬と前記検体とが混合された後に混合される追加試薬が定量される追加試薬定量部と、
前記追加試薬定量部と前記混合部とを接続する追加試薬接続流路と
を備え、
前記追加試薬接続流路は、前記追加試薬定量部において定量された前記追加試薬を受ける複数の追加試薬受け部を有し、
前記追加試薬受け部の数は、前記部分受け部を含む、前記試薬定量部において定量された前記試薬の一部を受けることが可能な前記接続流路の受け部の数以上であり、
前記試薬定量部と前記部分受け部とは、板材の一の面に形成され、
前記追加試薬定量部と前記追加試薬受け部とは、前記板材の他の面に形成されていることを特徴とする請求項１から６のいずれかに記載の検査チップ。
【請求項８】
前記接続流路と前記追加試薬接続流路とが合流する合流部を備え、
前記部分受け部は、前記合流部より前記試薬定量部側に設けられたことを特徴とする請求項７に記載の検査チップ。
【請求項９】
前記検体流路は、
前記検体定量部の前記混合部側とは反対側に設けられ、前記検体の成分が分離される分離部と、
前記分離部の前記検体定量部側とは反対側に設けられ、前記検体が保持される検体保持部と、
前記検体定量部に接続され、前記検体定量部における前記混合部側の端部を通って前記第２の方向と直交する検体仮想面より、前記分離部側に傾き、前記検体定量部において定量された前記検体を前記混合部に流入させる検体流入壁面と
を備え、
前記試薬流路は、
前記試薬定量部の前記混合部側とは反対側に設けられ、前記試薬が保持される試薬保持部と、
前記接続流路に設けられ、前記部分受け部によって保持された前記試薬を前記混合部に流入させる試薬流入壁面と
を備え、
前記試薬流入壁面は、前記試薬流入壁面の前記混合部側とは反対側の端部に接続され且つ前記検体仮想面と平行な流路仮想面より、前記検体流入壁面と同じ方向側に傾き、
前記試薬流入壁面と前記流路仮想面とのなす角は、前記検体流入壁面と前記検体仮想面とのなす角より大きいことを特徴とする請求項２に記載の検査チップ。
【請求項１０】
請求項１に記載の前記検査チップを、検査装置によって第一軸を中心に回転させて前記第１の方向に遠心力を作用させ、且つ、前記第一軸とは異なる第二軸を中心に前記検査チップを回転させて前記第２の方向に遠心力を作用させて、前記検体及び前記試薬を移動させる送液方法であって、
前記試薬定量部において、前記試薬を定量する試薬定量ステップと、
前記検体定量部において前記検体を定量する検体定量ステップと、
前記検査チップに対して前記第１の方向に遠心力を作用させ、前記試薬定量ステップにおいて定量された前記試薬を前記接続流路に流入させ、前記部分受け部において前記試薬の一部を保持させ、前記一部以外の試薬を前記混合部に流入させる第一試薬流入ステップと、
前記第一試薬流入ステップにおいて前記一部以外の試薬を前記混合部に流入させた後、前記検体定量ステップにおいて定量された前記検体を前記混合部に流入させる検体流入ステップと、
前記検体流入ステップにおいて前記検体を前記混合部に流入させた後、前記検査チップに対して前記第２の方向に遠心力を作用させ、前記部分受け部において保持された前記一部の試薬を前記混合部に流入させる第二試薬流入ステップと
を備えたことを特徴とする送液方法。
【請求項１１】
請求項１に記載の前記検査チップを第一軸を中心に回転させて前記第１の方向に遠心力を作用させ、且つ、前記第一軸とは異なる第二軸を中心に前記検査チップを回転させて前記第２の方向に遠心力を作用させて、前記検体及び前記試薬を移動させる検査装置のコンピュータが実行する送液プログラムであって、
前記試薬定量部において、前記試薬を定量する試薬定量ステップと、
前記検体定量部において前記検体を定量する検体定量ステップと、
前記検査チップに対して前記第１の方向に遠心力を作用させ、前記試薬定量ステップにおいて定量された前記試薬を前記接続流路に流入させ、前記部分受け部において前記試薬の一部を保持させ、前記一部以外の試薬を前記混合部に流入させる第一試薬流入ステップと、
前記第一試薬流入ステップにおいて前記一部以外の試薬を前記混合部に流入させた後、前記検体定量ステップにおいて定量された前記検体を前記混合部に流入させる検体流入ステップと、
前記検体流入ステップにおいて前記検体を前記混合部に流入させた後、前記検査チップに対して前記第２の方向に遠心力を作用させ、前記部分受け部において保持された前記一部の試薬を前記混合部に流入させる第二試薬流入ステップと
を前記コンピュータに実行させることを特徴とする送液プログラム。
【発明の詳細な説明】
【技術分野】
【０００１】
本発明は、検体と試薬とが混合される混合部を有する検査チップ、検査チップを使用した送液方法、及び送液プログラムに関する。
【背景技術】
【０００２】
従来、検体と試薬とが混合される混合部を有する検査チップが知られている。例えば、特許文献１に記載のマイクロチップは、血球計量部、液体試薬計量部、及び混合部を備えている。血球計量部においては、血球が計量される。液体試薬計量部においては、液体試薬が計量される。血球計量部において計量された血球と、液体試薬計量部において計量された液体試薬とは、混合部に流入し、混合される。
【先行技術文献】
【特許文献】
【０００３】
【特許文献１】特開２００９−２８１７７９号公報
【発明の概要】
【発明が解決しようとする課題】
【０００４】
しかしながら、従来の検査チップにおいては、液体試薬計量部において計量された液体試薬の全量が混合部に流入する。この場合、多量の液体試薬が流れることで、液体試薬定量部から混合部に至る流路において液体試薬が詰まる可能性がある。故に、混合部において混合される液体試薬の量が減り、検査精度が低下する可能性がある。
【０００５】
本発明の目的は、検査精度が低下する可能性を低減する検査チップ、送液方法、及び送液プログラムを提供することである。
【課題を解決するための手段】
【０００６】
本発明の第１の態様に係る検査チップは、検体が流れる検体流路と、試薬が流れる試薬流路と、前記検体流路に設けられ、前記検体が定量される検体定量部と、前記試薬流路に設けられ、前記試薬が定量される試薬定量部と、前記検体定量部と前記試薬定量部とに繋がり、前記検体定量部において定量された前記検体と前記試薬定量部において定量された前記試薬とが混合される混合部と、前記試薬流路に設けられ、前記試薬定量部と前記混合部とを接続する接続流路と、前記接続流路に設けられ、前記試薬定量部の容量よりも小さい容量を有し、前記試薬定量部から前記混合部に流れる前記試薬のうちの一部を保持可能な部分受け部とを備えた検査チップであって、前記接続流路は、前記検査チップに対して、第１の方向に遠心力が印加されたときに、前記試薬の一部が前記部分受け部の開口を介して前記部分受け部に流入し、前記部分受け部に保持されるとともに、前記一部以外の試薬が前記混合部側に供給されるように構成され、前記部分受け部は、前記検査チップに対して、前記第１の方向とは異なる第２の方向に遠心力が印加されるまでは、前記一部の試薬を保持し、前記第２の方向に遠心力が印加されたときに、保持された前記一部の試薬が前記開口から流出し、前記接続流路に沿って前記混合部側に供給されるように構成されたことを特徴とする。
【０００７】
この場合、試薬定量部と混合部との間に位置する接続流路に、試薬定量部の容量よりも小さい容量を有する部分受け部が設けられている。このため、試薬定量部において定量された試薬が混合部に移動する場合に、試薬の一部が部分受け部によって保持される。故に、検査チップは、部分受け部に保持されなかった試薬を混合部に流入させた後、部分受け部に保持された試薬を混合部に流入させることができる。即ち、この検査チップによれば、試薬定量部において定量された試薬を２段階に分けて混合部に供給することができる。故に、試薬定量部において定量された試薬の全量が一度に混合部に供給される場合に比べて、流れる試薬の量が減るので、試薬定量部から混合部に至る流路で試薬が詰まる可能性を低減できる。よって、混合部において検体と混合される試薬の量が減る可能性を低減でき、検査精度が低下する可能性を低減できる。
【０００８】
前記検査チップにおいて、前記検査チップに対して前記第１の方向に遠心力が印加され、前記一部以外の試薬が前記混合部に流入された後において、前記検体定量部において定量された前記検体が前記混合部に流入され、前記検体が前記混合部に流入された後、前記検査チップに対して前記第２の方向に遠心力が印加されたときに、前記一部の試薬が前記混合部に流入される構成を有してもよい。
【０００９】
前記検査チップにおいて、前記部分受け部は、前記第１の方向と反対方向に開口する凹部であってもよい。
【００１０】
前記検査チップは、前記接続流路において前記部分受け部と前記混合部との間に設けられ、前記第２の方向と反対方向に開口する凹部である試薬受け部を備えてもよい。
【００１１】
前記検査チップは、前記試薬定量部に前記試薬を案内する試薬案内部と、前記接続流路において前記試薬定量部に接続され、前記試薬定量部における混合部側の端部を通って前記第２の方向と直交する試薬仮想面より、前記試薬案内部側に傾いた試薬流路壁面とを備え、前記試薬流路壁面における前記混合部側の端部から、前記試薬流路壁面に垂直な方向に引いた仮想線は、前記部分受け部又は前記部分受け部より前記試薬定量部側の前記接続流路の部位と交差してもよい。
【００１２】
前記検査チップは、前記検体定量部に前記検体を案内する検体案内部と、前記検体定量部の前記混合部側の流路において前記検体定量部に接続され、前記検体定量部における前記混合部側の端部を通って前記第２の方向と直交する検体仮想面より、前記検体案内部側に傾いた検体流路壁面とを備え、前記検体流路壁面における前記混合部側の端部から、前記検体流路壁面に垂直な方向に引いた仮想線は、前記混合部における前記検体流路壁面と平行な混合仮想面と交差し、前記混合部における、前記混合仮想面より前記検体流路壁面から遠い側の部位と前記混合仮想面とに囲まれる領域の容量は、前記試薬定量部の容量から前記部分受け部の容量を引いた差分容量以下であってもよい。
【００１３】
前記検査チップは、前記混合部において前記試薬と前記検体とが混合された後に混合される追加試薬が定量される追加試薬定量部と、前記追加試薬定量部と前記混合部とを接続する追加試薬接続流路とを備え、前記追加試薬接続流路は、前記追加試薬定量部において定量された前記追加試薬を受ける複数の追加試薬受け部を有し、前記追加試薬受け部の数は、前記部分受け部を含む、前記試薬定量部において定量された前記試薬の一部を受けることが可能な前記接続流路の受け部の数以上であり、前記試薬定量部と前記部分受け部とは、板材の一の面に形成され、前記追加試薬定量部と前記追加試薬受け部とは、前記板材の他の面に形成されてもよい。
【００１４】
前記検査チップは、前記接続流路と前記追加試薬接続流路とが合流する合流部を備え、前記部分受け部は、前記合流部より前記試薬定量部側に設けられてもよい。
【００１５】
前記検査チップにおいて、前記検体流路は、前記検体定量部の前記混合部側とは反対側に設けられ、前記検体の成分が分離される分離部と、前記分離部の前記検体定量部側とは反対側に設けられ、前記検体が保持される検体保持部と、前記検体定量部に接続され、前記検体定量部における前記混合部側の端部を通って前記第２の方向と直交する検体仮想面より、前記分離部側に傾き、前記検体定量部において定量された前記検体を前記混合部に流入させる検体流入壁面とを備え、前記試薬流路は、前記試薬定量部の前記混合部側とは反対側に設けられ、前記試薬が保持される試薬保持部と、前記接続流路に設けられ、前記部分受け部によって保持された前記試薬を前記混合部に流入させる試薬流入壁面とを備え、前記試薬流入壁面は、前記試薬流入壁面の前記混合部側とは反対側の端部に接続され且つ前記検体仮想面と平行な流路仮想面より、前記検体流入壁面と同じ方向側に傾き、前記試薬流入壁面と前記流路仮想面とのなす角は、前記検体流入壁面と前記検体仮想面とのなす角より大きくてもよい。
【００１６】
本発明の第２の態様に係る送液方法は、第１の態様に係る前記前記検査チップを、検査装置によって第一軸を中心に回転させて前記第１の方向に遠心力を作用させ、且つ、前記第一軸とは異なる第二軸を中心に前記検査チップを回転させて前記第２の方向に遠心力を作用させて、前記検体及び前記試薬を移動させる送液方法であって、前記試薬定量部において、前記試薬を定量する試薬定量ステップと、前記検体定量部において前記検体を定量する検体定量ステップと、前記検査チップに対して前記第１の方向に遠心力を作用させ、前記試薬定量ステップにおいて定量された前記試薬を前記接続流路に流入させ、前記部分受け部において前記試薬の一部を保持させ、前記一部以外の試薬を前記混合部に流入させる第一試薬流入ステップと、前記第一試薬流入ステップにおいて前記一部以外の試薬を前記混合部に流入させた後、前記検体定量ステップにおいて定量された前記検体を前記混合部に流入させる検体流入ステップと、前記検体流入ステップにおいて前記検体を前記混合部に流入させた後、前記検査チップに対して前記第２の方向に遠心力を作用させ、前記部分受け部において保持された前記一部の試薬を前記混合部に流入させる第二試薬流入ステップとを備えたことを特徴とする。
【００１７】
この場合、試薬定量部から混合部に至る流路で試薬が詰まる可能性を低減できる。よって、混合部において検体と混合される試薬の量が減る可能性を低減でき、検査精度が低下する可能性を低減できる。また、検体を試薬で挟むように、混合部に試薬を供給することができる。よって、検査チップは、検体の全量と試薬の全量とを一度に混合する場合に比べて、検体と試薬とが均一に混合されない可能性を低減することができる。
【００１８】
本発明の第３の態様に係る送液プログラムは、第１の態様に係る前記検査チップを第一軸を中心に回転させて前記第１の方向に遠心力を作用させ、且つ、前記第一軸とは異なる第二軸を中心に前記検査チップを回転させて前記第２の方向に遠心力を作用させて、前記検体及び前記試薬を移動させる検査装置のコンピュータが実行する送液プログラムであって、前記試薬定量部において、前記試薬を定量する試薬定量ステップと、前記検体定量部において前記検体を定量する検体定量ステップと、前記検査チップに対して前記第１の方向に遠心力を作用させ、前記試薬定量ステップにおいて定量された前記試薬を前記接続流路に流入させ、前記部分受け部において前記試薬の一部を保持させ、前記一部以外の試薬を前記混合部に流入させる第一試薬流入ステップと、前記第一試薬流入ステップにおいて前記一部以外の試薬を前記混合部に流入させた後、前記検体定量ステップにおいて定量された前記検体を前記混合部に流入させる検体流入ステップと、前記検体流入ステップにおいて前記検体を前記混合部に流入させた後、前記検査チップに対して前記第２の方向に遠心力を作用させ、前記部分受け部において保持された前記一部の試薬を前記混合部に流入させる第二試薬流入ステップとを前記コンピュータに実行させる。
【００１９】
この場合、試薬定量部から混合部に至る流路で試薬が詰まる可能性を低減できる。よって、混合部において検体と混合される試薬の量が減る可能性を低減でき、検査精度が低下する可能性を低減できる。また、検体を試薬で挟むように、混合部に試薬を供給することができる。よって、検査チップは、検体の全量と試薬の全量とを一度に混合する場合に比べて、検体と試薬とが均一に混合されない可能性を低減することができる。
【図面の簡単な説明】
【００２０】
【図１】検査装置１及び制御装置９０を含む検査システム３の構成を示す図である。
【図２】検査チップ２の正面図である。
【図３】検査チップ２の背面図である。
【図４】遠心処理のフローチャートである。
【図５】遠心処理における検査チップ２の状態遷移図である。
【図６】図５の続きの検査チップ２の状態遷移図である。
【図７】図６の続きの検査チップ２の状態遷移図である。
【図８】第一試薬１８が試薬定量部１３４Ａから混合部８０に流れる状態を示す検査チップ２の正面図である。
【図９】検体１７Ａが検体定量部１１４から混合部８０に流れる状態を示す検査チップ２の正面図である。
【図１０】第一試薬１８が試薬受け部３０５から混合部８０に流れる状態を示す検査チップ２の正面図である。
【発明を実施するための形態】
【００２１】
本発明を具体化した実施形態について、図面を参照して説明する。尚、図１は、検査システム３を構成する検査装置１の平面及び制御装置９０の内部の機能ブロックを示している。
【００２２】
＜１．検査システム３の概略構造＞
図１を参照して、検査システム３の概略構造について説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００２３】
＜２．検査装置１の構造＞
図１を参照して、検査装置１の構造について説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。なお、図１は検査装置１の上部筐体３０の天板が取り除かれた状態を示す。
【００２４】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００２５】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００２６】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００２７】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２８】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２９】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００３０】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００３１】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００３２】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００３３】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００３４】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００３５】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００３６】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００３７】
＜３．制御装置９０の電気的構成＞
図１を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、及びプログラムを記憶するハードディスク装置９５と、各種情報を表示するディスプレイ９６とが接続されている。制御装置９０としては、パーソナルコンピュータを用いてもよいし、専用の制御装置を用いてもよい。
【００３８】
さらに、ＣＰＵ９１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ９１が公転コントローラ９７、自転コントローラ９８及び測定コントローラ９９を制御する。
【００３９】
＜４．検査チップ２の構造＞
図２及び図３を参照して、本実施形態に係る検査チップ２の詳細構造を説明する。以下の説明では、図２の上方、下方、左方、右方、紙面手前側、及び紙面奥側を、それぞれ、検査チップ２の上方、下方、左方、右方、前方、及び後方とする。
【００４０】
図２及び図３に示すように、検査チップ２は一例として前方から見た場合に正方形状であり、所定の厚みを有する透明な合成樹脂の板材２０を主体とする。図２に示すように、板材２０の前面２０１は、透明の合成樹脂の薄板から構成されたシート２９１によって封止されている。図３に示すように、前面２０１の反対側の後面２０２は、透明の合成樹脂の薄板から構成されたシート２９２によって封止されている。図２及び図３に示すように、板材２０とシート２９１との間、及び、板材２０とシート２９２との間には、検査チップ２に封入された液体が流動可能な液体流路２５が形成されている。液体流路２５は、板材２０の前面２０１側及び後面２０２側に所定深さに形成された凹部であり、板材２０の厚み方向である前後方向と直交する方向に延びる。シート２９１，２９２は、板材２０の流路形成面を封止する。シート２９１，２９２は、図２及び図３以外では図示を省略している。
【００４１】
液体流路２５は、検体定量流路１１、試薬定量流路１３，１５、混合部８０、及び測定部８１等を含む。試薬定量流路１３は、第一接続流路３０１を含む。試薬定量流路１５は、第二接続流路３３１を含む。図２に示すように、混合部８０は、前面２０１における右下部に設けられている。試薬定量流路１３は、前面２０１における左上部から混合部８０に向かって延びる。検体定量流路１１は、前面２０１における右上部から混合部８０に向かって延びる。図３に示すように、試薬定量流路１５は、後面２０２側における左上部から混合部８０に向かって延びる。混合部８０は、後述する通路１１７に接続されて下方に延びる、後述する端部３１５及び後述する流入口３０６より右側の流路を含む領域である。測定部８１は、混合部８０の下部である。
【００４２】
試薬定量流路１３、１５に共通する構成について説明する。図２及び図３に示すように、試薬定量流路１３，１５は、それぞれ、注入口１３０、試薬保持部１３１、供給部１３２、試薬定量部１３４、通路１３７、案内部１３９、及び余剰部１３６を含む。試薬保持部１３１は、試薬定量流路１３，１５において、後述する試薬定量部１３４の混合部８０側とは反対側に設けられており、検査チップ２の左上部に位置する。試薬保持部１３１は、上方に開口する凹部である。注入口１３０は、試薬保持部１３１の上部から検査チップ２の上辺部２１に向かって板材２０を貫通する。注入口１３０は、第一試薬１８又は第二試薬１９が試薬保持部１３１に注入される部位である。試薬定量流路１３の試薬保持部１３１は、試薬定量流路１３の注入口１３０から注入された第一試薬１８が保持される部位である。試薬定量流路１５の試薬保持部１３１は、試薬定量流路１５の注入口１３０から注入された第二試薬１９が保持される部位である。尚、本実施形態の第二試薬１９は、第一試薬１８と後述する検体１７Ａとが混合された後に混合される試薬である。以下の説明では、第一試薬１８、及び第二試薬１９を総称する場合、又はいずれかを特定しない場合、試薬１６という。
【００４３】
図２及び図３に示すように、供給部１３２は、試薬保持部１３１の右上部分から下方向に延びる流路である。供給部１３２の下端部は、流路が狭く形成された通路である案内部１３９に繋がっている。案内部１３９の下方には、試薬定量部１３４が設けられている。案内部１３９は、試薬定量部１３４に試薬１６を案内する。試薬定量部１３４は、試薬１６が定量される部位であり、左下方に凹む凹部である。
【００４４】
試薬定量部１３４は、第一接続流路３０１を介して混合部８０と接続されており、通路１３７を介して余剰部１３６と接続されている。試薬定量部１３４の混合部８０側の端部を第一端部１４１という。試薬定量部１３４の混合部８０とは反対側の端部を第二端部１４２という。すなわち、通路１３７は第二端部１４２から余剰部１３６に向けて延びる。第一端部１４１と第二端部１４２とを結ぶ面は、試薬定量面１４６である。試薬定量面１４６は、試薬１６が試薬定量部１３４において定量される場合における試薬１６の上面の位置となる仮想的な面である。従って、試薬定量面１４６より下方の液体流路２５の容量が試薬定量部１３４における定量量である。
【００４５】
試薬定量部１３４の上部から、通路１３７が左斜め下方に延びる。通路１３７は、試薬定量部１３４から溢れた試薬１６が移動する流路である。試薬定量部１３４の左下方には、余剰部１３６が設けられている。余剰部１３６は、通路１３７を移動した試薬１６が収容される部位であり、通路１３７の下端部から下方向及び右方向に設けられた凹部である。
【００４６】
第一接続流路３０１について説明する。以下の説明では、試薬定量流路１３の試薬定量部１３４を試薬定量部１３４Ａといい、試薬定量流路１５の試薬定量部１３４を試薬定量部１３４Ｂという。第一接続流路３０１は、前面２０１に形成され、試薬定量部１３４Ａと混合部８０とを接続する流路である。第一接続流路３０１は、試薬定量部１３４Ａの上部から右斜め上方に延び、右端部から下方に延び、下端部からさらに右方に延びる。第一接続流路３０１は、第一壁面３０２と第二壁面３０３とによって形成されている。第一壁面３０２は、試薬定量部１３４Ａと対向して混合部８０側に延びる壁面である。第一壁面３０２は、案内部１３９の下端から、後述する流入口３０６を形成する右端部３１４まで延びる。第二壁面３０３は、第一壁面３０２に対向する壁部である。第二壁面３０３は、試薬定量部１３４Ａの第一端部１４１から、後述する流入口３０６を形成する右端部３１３まで延びる。
【００４７】
第一接続流路３０１は、部分受け部３０４、試薬受け部３０５、及び流入口３０６を備えている。部分受け部３０４は、試薬定量部１３４Ａにおいて定量された第一試薬１８の一部を保持する部位である。部分受け部３０４は、試薬定量部１３４Ａの右方、且つ後述する合流孔部３５１より試薬定量部１３４Ａ側に設けられている。部分受け部３０４は、第一端部１４１から第二端部１４２に向かう左方向に開口する凹部である。部分受け部３０４は、試薬定量部１３４Ａの容量よりも小さい容量を有する。
【００４８】
第二壁面３０３のうち、試薬定量部１３４Ａの第一端部１４１に接続された壁面を試薬流路壁面３０８という。すなわち、試薬流路壁面３０８は、第一接続流路３０１において試薬定量部１３４Ａに接続されており、第一接続流路３０１の一部を形成する。試薬流路壁面３０８は、試薬定量流路１３の試薬定量面１４６を、試薬定量面１４６と平行に混合部８０側である右側に延ばした仮想面３２０より、案内部１３９側に傾いている。より詳細には、試薬流路壁面３０８は、第一端部１４１から右斜め上方に延び、屈曲部３０９においてやや上方に折れ曲がり、右斜め上方に延びる。試薬流路壁面３０８における混合部８０側の端部３１０から、試薬流路壁面３０８に垂直な方向に引いた仮想線３１１は、部分受け部３０４より試薬定量部１３４Ａ側の第一接続流路３０１の部位と交差する。
【００４９】
試薬受け部３０５は、部分受け部３０４と混合部８０との間において、部分受け部３０４の下方に設けられている。試薬受け部３０５は、部分受け部３０４側である上方に開口を有する凹部であり、部分受け部３０４に保持された後に下方に移動する第一試薬１８を保持する部位である。試薬受け部３０５は、第二壁面３０３のうち、壁面３０３Ａ、壁面３０３Ｂ、及び壁面３０３Ｃによって形成されている。壁面３０３Ａは、試薬定量流路１３の余剰部１３６の右方を上下に延びる壁面である。壁面３０３Ｂは、壁面３０３Ａの下端部から、右方向に延びる壁面である。壁面３０３Ｂの右端部は、混合部８０の左下方に位置する。図１０に示すように、壁面３０３Ｃは、部分受け部３０４によって保持された図６（Ｃ）に示す第一試薬１８を混合部８０に流入させる壁面である。図２に示すように、壁面３０３Ｃの混合部８０側とは反対側の左端部３６１に接続され、且つ後述する仮想面３２１と平行な仮想面を仮想面３６２という。壁面３０３Ｂは、仮想面３６２より、後述する検体流路壁面３１２と同じ方向である上方向に傾いている。より詳細には、壁面３０３Ｃは、左端部３６１から右斜め上方に延びる。
【００５０】
流入口３０６は、壁面３０３Ｃの右端部３１３と、右端部３１３の上方に位置する第一壁面３０２の右端部３１４とによって形成されている。流入口３０６は、混合部８０の左側に位置し、混合部８０に試薬１６を流入させる部位である。
【００５１】
第一接続流路３０１の下端部の左右方向中央部には、合流孔部３５１が設けられている。合流孔部３５１は、板材２０を前後方向に貫通し、第一接続流路３０１に第二接続流路３３１を合流させる孔部である。合流孔部３５１における第二壁面３０３側である下側の端部３５２と、端部３５２に対向する上側の端部３５３のうち、端部３５２は、第二壁面３０３の壁面３０３Ｂに沿って左右方向に延びる。端部３５３は、第一壁面３０２に沿っている。
【００５２】
第二接続流路３３１について説明する。図３に示すように、第二接続流路３３１は、後面２０２に形成され、試薬定量部１３４Ｂから混合部８０側に延び、試薬定量部１３４Ｂと混合部８０とを接続する流路である。第二接続流路３３１は、４つの試薬受け部３４１，３４２，３４３，３４４を備えている。試薬受け部３４１〜３４４は、試薬定量部１３４Ｂにおいて定量された第二試薬１９を受ける部位である。試薬受け部３４１は、試薬定量部１３４Ｂの右方に位置し、左方に開口する凹部である。試薬受け部３４２は、試薬受け部３４１の左下方に位置し、上方に開口する凹部である。試薬受け部３４３は、試薬受け部３４２の右下方に位置し、左方に開口する凹部である。試薬受け部３４４は、試薬受け部３４３の下側に位置し、上方に開口する凹部である。
【００５３】
第二接続流路３３１は、試薬定量部１３４Ｂから右斜め上方に延びて試薬受け部３４１に繋がり、試薬受け部３４１から左斜め下方に延びて試薬受け部３４２に繋がる。第二接続流路３３１は、試薬受け部３４２から右斜め上方に延び、右端から下方に延びて試薬受け部３４３に繋がる。第二接続流路３３１は、試薬受け部３４３から左斜め下方に延びて試薬受け部３４４に繋がる。試薬受け部３４４の右端部は、合流孔部３５１に接続されており、前面２０１側の第一接続流路３０１に繋がる。
【００５４】
検体定量流路１１について説明する。図２に示すように、検体定量流路１１は、注入口１１０、検体保持部１１１、第一供給部１１２、第一案内部１１３、分離部１２４、通路１２５、通路１２７、第一余剰部１２６、第二供給部１２３、検体定量部１１４、通路１１５、通路１１７、及び第二余剰部１１６を含む。検体保持部１１１は、検体定量流路１１において、後述する分離部１２４の後述する検体定量部１１４側とは反対側に設けられており、試薬定量流路１３の供給部１３２の右側に位置している。検体保持部１１１は、上方に開口する凹部である。注入口１１０は、検体保持部１１１の上部から検査チップ２の上辺部２１に向かって板材２０を貫通する。注入口１１０は、検体１７が検体保持部１１１に注入される部位である。検体保持部１１１は、注入口１１０から注入された検体１７が保持される部位である。本実施形態の検体１７は、例えば、血液、血漿、血球、骨髄、尿、膣組織、上皮組織、腫瘍、精液、唾液、又は食料品などの成分を含む液体である。第一供給部１１２は、検体保持部１１１の右上部分から下方に延びる流路である。第一供給部１１２の下端部は、流路が狭く形成された通路である第一案内部１１３に繋がっている。
【００５５】
第一案内部１１３の下方には、分離部１２４が設けられている。分離部１２４は、検体定量流路１１において、後述する検体定量部１１４の混合部８０側とは反対側に設けられている。第一案内部１１３は、分離部１２４に検体１７を案内する。分離部１２４は検体１７に含まれる成分が分離される部位である。分離部１２４は、上方に開口し、右斜め下方に傾く凹部である。分離部１２４は、遠心力の作用によって、検体１７を比重の小さい成分と比重の大きい成分とに遠心分離する。以下の説明では、図５（Ｃ）に示すように分離部１２４において分離された検体１７の比重の小さい成分を検体１７Ａといい、比重の大きい成分を検体１７Ｂという。
【００５６】
分離部１２４の右側面における上下方向中央部から連結流路１２０が右斜め上方に延設され、連結流路１２０の上端部は成分保持部１２１の上端部に接続されている。成分保持部１２１は分離部１２４において分離された検体１７Ａと検体１７Ｂの一部とを保持する貯溜部である。また、連結流路１２０の流路の幅は、後述する通路１２７の流路の幅より狭い。このため、検体１７Ａは、連結流路１２０に流入するよりも先に通路１２７に流れ出す。故に、検体１７Ａが通路１２７より先に成分保持部１２１に流入してしまう可能性を低減できる。
【００５７】
分離部１２４の上部から、通路１２５が左斜め下方に延び、通路１２７が右斜め上方に延びている。通路１２５は、分離部１２４の左下方に設けられた第一余剰部１２６まで延びている。第一余剰部１２６は、分離部１２４から溢れ出た検体１７が貯留される部位であり、通路１２５の下端部から右方向及び下方向に設けられた凹部である。
【００５８】
通路１２７は、第二供給部１２３に繋がっている。第二供給部１２３は、通路１２７の右上部分から下方に延びる流路である。第二供給部１２３の下端は、流路が狭く形成された通路である第二案内部１２８に繋がっている。第二案内部１２８の下方には、検体定量部１１４が設けられている。第二案内部１２８は、検体定量部１１４に検体１７Ａを案内する。検体定量部１１４は、検体１７Ａを定量する部位であり、上側に開口する凹部である。
【００５９】
検体定量部１１４は、通路１１７を介して混合部８０と接続されており、通路１１５を介して第二余剰部１１６に接続されている。検体定量部１１４の混合部８０側の端部を第一検体端部１１８という。検体定量部１１４の混合部８０とは反対側の端部を第二検体端部１１９という。すなわち、通路１１５は第二検体端部１１９から第二余剰部１１６に延びる。第一検体端部１１８と第二検体端部１１９とを結ぶ面は、検体定量面１２９である。検体定量面１２９は、検体１７Ａが検体定量部１１４において定量される場合における検体１７Ａの上面の位置となる仮想的な面である。従って、検体定量面１２９より下方の液体流路２５の容量が検体定量部１１４における定量量である。
【００６０】
検体定量部１１４の上部から、通路１１５が左斜め下方に延び、通路１１７が右斜め上方に延びている。検体定量部１１４の左下方には、第二余剰部１１６が設けられている。通路１１５は、第二余剰部１１６に繋がっている。第二余剰部１１６は、検体定量部１１４から溢れ出た検体１７Ａが貯留される部位である。第二余剰部１１６は、通路１１５の下端部から右方向に設けられた凹部である。通路１１７は、混合部８０に繋がっている。
【００６１】
検体定量部１１４の混合部８０側に設けられ、検体定量部１１４に接続された壁面を検体流路壁面３１２という。検体流路壁面３１２は、検体定量面１２９を、検体定量面１２９と平行に混合部８０側である右側に延ばした仮想面３２１より、第二案内部１２８側又は分離部１２４側に傾いている。より詳細には、検体流路壁面３１２は、検体定量部１１４の第一検体端部１１８から右斜め上方に延びる。壁面３０３Ｃと仮想面３６２とがなす角Ｒ１は、検体流路壁面３１２と仮想面３２１とがなす角Ｒ２より大きい。
【００６２】
また、混合部８０における、検体流路壁面３１２と平行な仮想的な面を仮想面３１７という。仮想面３１７の位置は、混合部８０における、仮想面３１７より検体流路壁面３１２より遠い側である下側の部位と仮想面３１７とによって囲まれる領域３１８の容量が、試薬定量部１３４Ａの容量から部分受け部３０４の容量を引いた差分容量と等しくなる位置である。検体流路壁面３１２における混合部８０側の端部３１５から、検体流路壁面３１２に垂直な方向に引いた仮想線３１６は、仮想面３１７と交差する。
【００６３】
混合部８０は、端部３１５及び流入口３０６の右側を、下方に延びる。混合部８０は、通路１１７を介して検体定量部１１４と繋がっている。混合部８０は、第一接続流路３０１を介して試薬定量部１３４Ａに繋がっている。混合部８０は、第二接続流路３３１を介して、試薬定量部１３４Ｂに繋がっている。混合部８０においては、検体定量部１１４において定量された検体１７Ａ、試薬定量部１３４Ａにおいて定量された第一試薬１８、及び試薬定量部１３４Ｂにおいて定量された第二試薬１９が混合される。後述する光学測定が行われる際には、混合部８０の下部を形成する測定部８１に測定光が透過される。
【００６４】
＜５．検査チップ２のその他構造＞
図１に示すように、Ｌ型プレート６０から延びる支軸４６は、図示外の装着用ホルダを介して板材２０の後面中央に垂直に連結される。支軸４６の回転に伴って、検査チップ２が支軸４６を中心に自転する。検査チップ２は図２及び図３に示す定常状態である場合、上辺部２１及び下辺部２４が重力Ｇの方向と直交し、右辺部２２及び左辺部２３が重力Ｇの方向と平行、且つ、左辺部２３が右辺部２２よりも主軸５７側に配置される。定常状態の検査チップ２が測定位置に配置されている状態において、光源７１と光センサ７２とを結ぶ測定光を測定部８１に通過させることで、検査装置１は光学測定による検査を行う。
【００６５】
＜６．検査方法の一例＞
検査装置１及び検査チップ２を用いた検査方法について説明する。図２に示すように、注入口１１０から検体１７が注入され、検体保持部１１１に配置される。試薬定量流路１３の注入口１３０から第一試薬１８が注入され、試薬定量流路１３の試薬保持部１３１に配置される。図３に示すように、試薬定量流路１５の注入口１３０から第二試薬１９が注入され、試薬定量流路１５の試薬保持部１３１に配置される。第一試薬１８、第二試薬１９、及び検体１７の配置方法は限定されない。例えば、シート２９１，２９２における検体保持部１１１及び試薬保持部１３１に対応する位置に穴が開いており、ユーザが穴から、検体１７、第一試薬１８、及び第二試薬１９を注入し、さらにシールをして封止してもよい。また、予め、第一試薬１８と第二試薬１９とが、試薬定量流路１３，１５のそれぞれの試薬保持部１３１に配置されて、シート２９１，２９２によって封止されていてもよい。この場合、シート２９１における検体定量流路１１の検体保持部１１１に対応する位置に穴が開いており、ユーザが穴から検体１７を注入し、さらにシールをして封止してもよい。
【００６６】
ユーザは検査チップ２を図示外の装着用ホルダに取り付けて、操作部９４から処理開始のコマンドを入力する。これによって、ＣＰＵ９１は、ＲＯＭ９３に記憶されている制御プログラムに基づいて、図４に示す遠心処理を実行する。尚、検査装置１は二つの検査チップ２を同時に検査可能であるが、以下では説明の便宜のため、一つの検査チップ２を検査する手順を説明する。以下の説明では、図２及び図３に示す検査チップ２の定常状態を自転角度０度といい、定常状態から９０度反時計回りに回転した状態を自転角度９０度という。尚、以下の説明においてＣＰＵ９１が検査チップ２を自転角度０度から９０度に回転させる場合、検査チップ２は、前方から見て反時計回りに回転する。また、ＣＰＵ９１が検査チップ２を自転角度９０度から０度に回転させる場合、検査チップ２は、前方から見て時計回りに回転する。
【００６７】
図４に示すように、ＣＰＵ９１は、ＨＤＤ９５に予め記憶されているモータの駆動情報を読み込み、公転コントローラ９７に主軸モータ３５の駆動情報をセットし、自転コントローラ９８にステッピングモータ５１の駆動情報をセットする（Ｓ１）。このとき、検査チップ２は図２及び図３に示すように、定常状態であり自転角度０度である。次いで、図１に示すＣＰＵ９１が公転コントローラ９７を制御し、主軸モータ３５の駆動を開始する（Ｓ２）。この結果、自転角度が０度の検査チップ２が公転する。主軸モータ３５は、公転コントローラ９７の指示に基づき、ターンテーブル３３の回転速度を速度Ｖに上げる。速度Ｖは、例えば３０００ｒｐｍである。この速度Ｖでターンテーブル３３が回転されると、検査チップ２に、数百Ｇほどの遠心力Ｘが作用する。ＣＰＵ９１は主軸モータ３５の回転速度を速度Ｖに保持する（Ｓ３）。図５（Ａ）に示すように、左辺部２３から右辺部２２に向けて、検査チップ２に遠心力Ｘが作用する。遠心力Ｘの作用によって試薬１６は、試薬保持部１３１から供給部１３２に移動する。また、検体１７は、検体保持部１１１から第一供給部１１２に移動する。尚、以下の説明では、ターンテーブル３３の回転速度は速度Ｖで一定であるとするが、速度Ｖの値が遠心処理の途中で変更されてもよい。
【００６８】
次いで、ＣＰＵ９１は自転コントローラ９８を制御してステッピングモータ５１を駆動制御し、図５（Ｂ）に示すように、自転角度９０度まで検査チップ２を回転させる（Ｓ４）。この結果、上辺部２１から下辺部２４に向けて、検査チップ２に遠心力Ｘが作用する。遠心力Ｘの作用によって、試薬１６は、供給部１３２から、案内部１３９を介して試薬定量部１３４に流れる。試薬定量部１３４において余った試薬１６は、通路１３７を介して余剰部１３６に流れる。遠心力Ｘは試薬定量面１４６に垂直な方向に作用する。これによって、試薬定量部１３４の容量分の試薬１６が定量される。また、検体１７は、第一供給部１１２から、第一案内部１１３を介して分離部１２４に流れる。分離部１２４において余った検体１７は、通路１２５を介して第一余剰部１２６に流れる。このため、分離部１２４の容量分の検体１７が分離部１２４に残る。分離部１２４の容量は、図２に示す分離部１２４における通路１２５側の端部１４７から、右方向に延びる仮想面１４８より下方の液体流路２５の容量である。
【００６９】
ＣＰＵ９１は、所定時間の間、主軸モータ３５の回転速度を速度Ｖに保持する（Ｓ５）。これによって、所定時間の間、上辺部２１から下辺部２４に向けて、検査チップ２に遠心力Ｘが作用する。これによって、図５（Ｃ）に示すように、分離部１２４においては、検体１７の成分が検体１７Ａと検体１７Ｂとに分離される。例えば、検体１７が血液の場合、比重の大きい血球が遠心力Ｘの作用方向側に溜まり、比重の小さい血漿が遠心力Ｘの作用方向の反対側に溜まる。すなわち、血液中の血球である検体１７Ｂと血漿である検体１７Ａとが分離される。
【００７０】
次いで、ＣＰＵ９１は、自転コントローラ９８を制御してステッピングモータ５１を駆動制御し、図６（Ｄ）に示すように、自転角度０度まで検査チップ２を回転させる（Ｓ６）。この結果、左辺部２３から右辺部２２に向けて検査チップ２に遠心力Ｘが作用する。
【００７１】
図５（Ｃ）に示す状態から図６（Ｄ）に示す状態に検査チップ２の姿勢が変化する過程における第一試薬１８の流れについて説明する。図８は、試薬流路壁面３０８のうち、屈曲部３０９より右側の壁面に垂直な方向に遠心力Ｘが作用された時の第一試薬１８の流れを示している。このとき、第一試薬１８は、遠心力Ｘの作用によって、仮想線３１１に沿って第一壁面３０２側に流れ、部分受け部３０４に流入する。部分受け部３０４の容量は、試薬定量部１３４Ａの容量よりも小さいので、第一試薬１８は、部分受け部３０４から溢れる。部分受け部３０４から溢れた第一試薬１８は、第一壁面３０２に沿って流れ、壁面３０３Ｃ及び流入口３０６を介して混合部８０に流入する。すなわち、ＣＰＵ９１は、Ｓ４において定量された第一試薬１８を第一接続流路３０１に流入させ、部分受け部３０４において第一試薬１８の一部を保持させ、部分受け部３０４に保持された第一試薬１８以外の第一試薬１８を混合部８０に流入させている（Ｓ６）。なお、部分受け部３０４から溢れた第一試薬１８は、第一壁面３０２に沿って流れるため、試薬受け部３０５には保持されない。
【００７２】
図６（Ｄ）に示す状態に検査チップ２の姿勢が変化すると、部分受け部３０４の容量分の第一試薬１８が部分受け部３０４に残る。また、試薬定量部１３４Ａの容量から部分受け部３０４の容量を引いた差分容量分の第一試薬１８が混合部８０に貯留される。また、試薬定量部１３４Ｂにおいて定量された第二試薬１９は、試薬受け部３４１に移動する。また、検体１７Ａは通路１２７を通って第二供給部１２３に移動する。尚、分離部１２４に残った検体１７Ａと、検体１７Ｂの一部とは、連結流路１２０を介して成分保持部１２１に移動する。
【００７３】
次いで、ＣＰＵ９１は、自転コントローラ９８を制御してステッピングモータ５１を駆動制御し、図６（Ｅ）に示すように、自転角度９０度まで検査チップ２を回転させる（Ｓ７）。この結果、上辺部２１から下辺部２４に向けて遠心力Ｘが作用する。遠心力Ｘの作用によって、検体１７Ａは、第二供給部１２３から、第二案内部１２８を介して検体定量部１１４に流れる。検体定量部１１４において余った検体１７Ａは、通路１１５を介して第二余剰部１１６に流れる。遠心力Ｘは検体定量面１２９に垂直な方向に作用する。これによって、検体定量部１１４の容量分の検体１７Ａが定量される。また、部分受け部３０４に保持されていた第一試薬１８は、試薬受け部３０５に移動する。また、試薬受け部３４１に保持されていた第二試薬１９は、試薬受け部３４２に移動する。
【００７４】
次いで、ＣＰＵ９１は、自転コントローラ９８を制御してステッピングモータ５１を駆動制御し、図６（Ｆ）に示すように、自転角度０度まで検査チップ２を回転させる（Ｓ８）。この結果、左辺部２３から右辺部２２に向けて検査チップ２に遠心力Ｘが作用する。
【００７５】
図９及び図１０を参照して、図６（Ｅ）に示す状態から図６（Ｆ）に示す状態に検査チップ２の姿勢が変化する過程における第一試薬１８及び検体１７Ａの流れについて説明する。図９は検体流路壁面３１２に垂直な方向に遠心力Ｘが作用された時の検体１７Ａの流れを示している。この場合、検体１７Ａは、検体流路壁面３１２の混合部８０側の端部３１５から仮想線３１６に沿って流れる。このとき、混合部８０における差分容量の第一試薬１８の液面は、検体流路壁面３１２と平行に傾き、仮想面３１７と同じ位置になる。仮想線３１６は、仮想面３１７と交差する。このため、仮想線３１６に沿って流れる検体１７Ａは、仮想面３１７と同じ位置にある第一試薬１８の液面に向かって流れ、第一試薬１８と合流する。また、試薬受け部３０５に保持されていた第一試薬１８は、試薬受け部３０５における壁面３０３Ｂと壁面３０３Ｃとの間に保持される。
【００７６】
ＣＰＵ９１が検査チップ２をさらに自転させると、図１０に示すように、壁面３０３Ｃに垂直な方向に遠心力Ｘが作用された状態となる。この場合、試薬受け部３０５に保持された第一試薬１８は、壁面３０３Ｃの右端部３１３から混合部８０に流入する。すなわち、ＣＰＵ９１は、検体１７Ａを混合部８０に流入させた後、部分受け部３０４において保持された第一試薬１８を混合部８０に流入させる。図６（Ｅ）に示す状態から図６（Ｆ）に示す状態に検査チップ２の姿勢が変化する過程及び図６（Ｆ）に示す検査チップ２の姿勢において遠心力Ｘが作用することで、第一試薬１８と検体１７Ａとが混合され、図６（Ｆ）に示すように第一混合液２６１が生成される。また、第二試薬１９は、試薬受け部３４２から試薬受け部３４３に移動する。
【００７７】
次いで、ＣＰＵ９１は、自転コントローラ９８を制御してステッピングモータ５１を駆動制御し、図７（Ｇ）に示すように、自転角度９０度まで検査チップ２を回転させる（Ｓ９）。この結果、上辺部２１から下辺部２４に向けて検査チップ２に遠心力Ｘが作用する。第二試薬１９は、試薬受け部３４３から試薬受け部３４４に移動する。試薬受け部３４４に移動した第二試薬１９は、合流孔部３５１を介して前面２０１に形成された第一接続流路３０１に合流する。
【００７８】
次いで、ＣＰＵ９１は、自転コントローラ９８を制御してステッピングモータ５１を駆動制御し、図７（Ｈ）に示すように、自転角度０度まで検査チップ２を回転させる（Ｓ１０）。この結果、左辺部２３から右辺部２２に向けて検査チップ２に遠心力Ｘが作用する。遠心力Ｘの作用によって、第二試薬１９は混合部８０に移動し、第一混合液２６１と合流する。遠心力Ｘの作用によって、第一試薬１８、第二試薬１９、及び検体１７Ａが混合された第二混合液２６２が生成される。
【００７９】
次いで、ＣＰＵ９１は、自転コントローラ９８を制御してステッピングモータ５１を駆動制御し、図７（Ｉ）に示すように、自転角度９０度まで検査チップ２を回転させる（Ｓ１１）。この結果、上辺部２１から下辺部２４に向けて検査チップ２に遠心力Ｘが作用する。遠心力Ｘの作用によって、第二混合液２６２は、測定部８１に移動する。
【００８０】
図７には図示しないが、Ｓ１１が実行された後、ＣＰＵ９１は自転コントローラ９８を制御し、ステッピングモータ５１を駆動する。ＣＰＵ９１は、自転角度０度まで検査チップ２を回転させる（Ｓ１２）。また、ＣＰＵ９１は公転コントローラ９７を制御し、主軸モータ３５の回転を停止する（Ｓ１２）。故に、検査チップ２の公転が終了する。遠心処理は終了される。
【００８１】
遠心処理の実行後、ＣＰＵ９１は公転コントローラ９７を制御し、検査チップ２を測定位置の角度まで回転移動させる。図１に示す測定コントローラ９９が光源７１を発光させると、測定光が測定部８１に貯溜された第二混合液２６２を通る。ＣＰＵ９１は光センサ７２が受光した測定光の変化量に基づいて、第二混合液２６２の光学測定を行い、測定データを取得する。ＣＰＵ９１は、取得された測定データに基づいて、第二混合液２６２の測定結果を算出する。測定結果に基づく第二混合液２６２の検査結果が、図１に示すディスプレイ９６に表示される。尚、第二混合液２６２の測定方法は、光学測定に限られず、他の方法でもよい。
【００８２】
＜７．本実施形態の主たる作用・効果＞
以上のように本実施形態における測定が実行される。本実施形態では、図２に示すように、試薬定量部１３４Ａと混合部８０との間に位置する第一接続流路３０１に、試薬定量部１３４Ａの容量よりも小さい部分受け部３０４が設けられている。このため、図６（Ｄ）及び図８に示すように、試薬定量部１３４Ａにおいて定量された第一試薬１８が混合部８０に移動する場合に、第一試薬１８の一部が部分受け部３０４によって保持される。故に、検査チップ２は、図８に示すように部分受け部３０４に保持された第一試薬１８以外の第一試薬１８を混合部８０に流入させた後、図１０に示すように部分受け部３０４に保持された第一試薬１８を混合部８０に流入させることができる。即ち、検査チップ２は、試薬定量部１３４Ａにおいて定量された第一試薬１８を２段階に分けて混合部８０に供給することができる。故に、試薬定量部１３４Ａにおいて定量された第一試薬１８の全量が一度に混合部８０に供給される場合に比べて、流れる第一試薬１８の量が減るので、試薬定量部１３４から混合部８０に至る流路で第一試薬１８が詰まる可能性を低減できる。よって、混合部８０において検体１７Ａと混合される第一試薬１８の量が減る可能性を低減でき、検査精度が低下する可能性を低減できる。
【００８３】
また、従来の検査チップにおいては、血球計量部において計量された検体である血球の全量と、液体試薬計量部において計量された液体試薬の全量とが同じタイミングで混合部に流入する。この場合、血球の全量と液体試薬の全量とが一度に混合されるため、血球と液体試薬とが均一に混合されず、検査精度が低下する可能性がある。
【００８４】
本実施形態では、試薬定量流路１３と検体定量流路１１とは、夫々、部分受け部３０４に保持された第一試薬１８以外の第一試薬１８を混合部８０に流入させた後に、検体定量部１１４において検体１７Ａを混合部８０に流入させ、その後、部分受け部３０４に保持された第一試薬１８を混合部８０に流入させる構成を有する。詳細には、試薬定量流路１３は、試薬保持部１３１及び試薬定量部１３４Ａを備えている。一方、検体定量流路１１は、検体保持部１１１、分離部１２４、及び検体定量部１１４を備えている。すなわち、試薬定量流路１３は、分離部１２４に相当する部位を備えていない。このため、分離部１２４に相当する部位に第一試薬１８を流す工程が必要ない。故に、試薬定量流路１３は、検体１７Ａが混合部８０に流入する前に、図８に示すように、部分受け部３０４に保持された第一試薬１８以外の第一試薬１８を混合部８０に流入させることができる。
【００８５】
また、試薬定量流路１３が備える壁面３０３Ｃと仮想面３６２とがなす角Ｒ１は、検体定量流路１１が備える検体流路壁面３１２と仮想面３２１とがなす角Ｒ２より大きい。このため、図９に示すように、検体定量流路１１は、部分受け部３０４において保持された第一試薬１８が壁面３０３Ｃから混合部８０に流入する前に、検体定量部１１４において定量された検体１７Ａを検体流路壁面３１２から混合部８０に流入させることができる。その後、図１０に示すように、試薬定量流路１３は、部分受け部３０４において保持された第一試薬１８を壁面３０３Ｃから混合部８０に流入させることができる。このため、検体１７Ａを第一試薬１８で挟むように、混合部８０に第一試薬１８を供給することができる。よって、検査チップ２は、検体定量部１１４において定量された検体１７Ａの全量と、試薬定量部１３４Ａにおいて定量された第一試薬１８の全量とを一度に混合する場合に比べて、検体１７Ａと第一試薬１８とが均一に混合されない可能性を低減することができる。よって、検体１７Ａと第一試薬１８とが均一に混合されずに検査精度が低下する可能性を低減できる。
【００８６】
また、図５（Ｃ）に示すように検査チップ２の下方向に遠心力Ｘが作用される。その後、図６（Ｄ）に示すように検査チップ２の右方向に遠心力Ｘが作用される状態に検査チップ２の姿勢が変化する過程において、図８に示すように第一試薬１８が混合部８０に向けて移動する。部分受け部３０４は、混合部８０側の第一端部１４１から混合部８０とは反対側の第二端部１４２に向かう左方向に開口している。このため、試薬定量部１３４Ａから混合部８０に第一試薬１８が移動する場合に、部分受け部３０４に第一試薬１８の一部を保持させることができる。故に、部分受け部３０４に試薬を保持させる工程が別途必要ないので、より容易に、試薬定量部１３４から混合部８０に至る流路で第一試薬１８が詰まる可能性を低減できる。また、部分受け部３０４に試薬を保持させる工程が別途必要ないので、より容易に、検体１７Ａを第一試薬１８で挟むように混合部８０に第一試薬１８を供給することができる。
【００８７】
また、試薬受け部３０５は、部分受け部３０４側である上方に開口する。このため、部分受け部３０４に保持された第一試薬１８が混合部８０側に流される場合に、部分受け部３０４に保持された第一試薬１８が試薬受け部３０５に流入する。故に、図６（Ｅ）に示すように、部分受け部３０４に保持された第一試薬１８は、混合部８０に流入する前に、試薬受け部３０５によって保持される。よって、試薬受け部３０５によって保持されない場合に比べて、部分受け部３０４に保持された第一試薬１８が混合部８０に流入するタイミングを遅らせることができる。故に、より確実に、試薬定量部１３４から混合部８０に至る流路で第一試薬１８が詰まる可能性を低減でき、検査精度が低下する可能性を低減できる。また、より確実に、検体１７Ａを混合部８０に流入させた後に、部分受け部３０４に保持された第一試薬１８を混合部８０に流入させることができる。よって、検体１７Ａと第一試薬１８とが均一に混合されない可能性をさらに低減することができる。
【００８８】
また、図８に示すように、試薬定量部１３４Ａにおいて定量された第一試薬１８は、試薬流路壁面３０８に垂直な方向に遠心力Ｘが付与された場合に、端部３１０から仮想線３１１に沿って流れる。仮想線３１１は、部分受け部３０４より試薬定量部１３４Ａ側の第一接続流路３０１の部位と交差する。このため、仮想線３１１が部分受け部３０４より混合部８０側の第一接続流路３０１の部位と交差する場合に比べて、より確実に、第一試薬１８を部分受け部３０４に流入させることができる。
【００８９】
また、例えば、検体１７Ａが混合部８０に流れる場合において、検体１７Ａが第一試薬１８の液面ではなく、検査チップ２の流路の壁面に向かって流れる場合、壁面に検体が付着して乾燥し、第一試薬１８と混合される検体１７Ａの量が減る可能性がある。本実施形態では、仮想線３１６が仮想面３１７と交差する。このため、図９に示すように、検体１７Ａが第一試薬１８の液面に向けて流れて混合部８０に流入する。故に、検体１７Ａが壁面に付着して乾燥する可能性を低減でき、混合部８０において第一試薬１８と混合される検体の量が減る可能性を低減できる。よって、検査精度が低下する可能性を低減できる。
【００９０】
また、第二接続流路３３１に設けられている試薬受け部３４１〜３４４の数である４つは、試薬定量部１３４Ａにおいて定量された第一試薬１８の一部を受けることが可能な受け部である部分受け部３０４と試薬受け部３０５との数である２つより多い。このため、試薬受け部３４１〜３４４の数が、試薬定量部１３４Ａにおいて定量された第一試薬１８の一部を受けることが可能な受け部より少ない場合に比べて、第二試薬１９が混合部８０に流入するタイミングを遅らせることができる。よって、より確実に、第一試薬１８と検体１７Ａとが混合された後に第二試薬１９を混合部８０に流入させることができる。
【００９１】
また、試薬定量部１３４Ａと部分受け部３０４とは、板材２０の前面２０１に形成されている。試薬定量部１３４Ｂと、試薬受け部３４１〜３４４とは、板材２０の後面２０２に形成されている。このため、試薬定量部１３４Ａ、部分受け部３０４、試薬定量部１３４Ｂ、及び試薬受け部３４１〜３４４が板材２０の同じ面に形成されている場合に比べて、検査チップ２のサイズを小さくできる。
【００９２】
また、部分受け部３０４は合流孔部３５１より試薬定量部１３４Ａ側に設けられている。このため、部分受け部３０４が合流孔部３５１より混合部８０側に設けられている場合に比べて、第二試薬１９が部分受け部３０４に流入する可能性を低減できる。故に、部分受け部３０４において第一試薬１８と第二試薬１９とが混ざる可能性を低減でき、第一試薬１８又は第二試薬１９が検体１７Ａと混合される前に、第一試薬１８と第二試薬１９とが反応を起こす可能性を低減できる。よって、検査精度が低下する可能性を低減できる。
【００９３】
上記実施形態において、第一試薬１８は本発明の「試薬」の一例である。第二試薬１９は本発明の「追加試薬」の一例である。検体定量流路１１は本発明の「検体流路」の一例である。試薬定量流路１３は本発明の「試薬流路」の一例である。試薬定量部１３４Ａは本発明の「試薬定量部」の一例である。試薬定量部１３４Ｂは本発明の「追加試薬定量部」の一例である。第一接続流路３０１は本発明の「接続流路」の一例である。試薬定量流路１３の案内部１３９は本発明の「試薬案内部」の一例である。第二案内部１２８は本発明の「検体案内部」の一例である。試薬受け部３０５は本発明の「試薬受け部」の一例である。第二接続流路３３１は本発明の「追加試薬接続流路」の一例である。試薬受け部３４１，３４２，３４３，３４４は本発明の「追加試薬受け部」の一例である。部分受け部３０４及び試薬受け部３０５は本発明の「受け部」の一例である。検体流路壁面３１２は本発明の「検体流路壁面」及び「検体流入壁面」の一例である。壁面３０３Ｃは本発明の「試薬流入壁面」の一例である。仮想面３２０は本発明の「試薬仮想面」の一例である。仮想面３２１は本発明の「検体仮想面」の一例である。仮想面３１７は本発明の「混合仮想面」の一例である。仮想面３６２は本発明の「流路仮想面」の一例である。合流孔部３５１は本発明の「合流部」の一例である。図４のＳ４の処理は本発明の「試薬定量ステップ」の一例である。Ｓ７の処理は本発明の「検体定量ステップ」の一例である。Ｓ６の処理は本発明の「第一試薬流入ステップ」の一例である。Ｓ８の処理において、図９に示すように検体１７Ａを混合部８０に流入させる処理は、本発明の「検体流入ステップ」の一例である。Ｓ８の処理において、図１０に示すように、部分受け部３０４において保持された第一試薬１８を混合部８０に流入させる処理は、本発明の「第二試薬流入ステップ」の一例である。
【００９４】
尚、本発明は上記の実施形態に限定されるものではなく、種々の変更が可能である。例えば、試薬流路壁面３０８は、屈曲部３０９において屈曲していたが、屈曲しなくてもよい。また、仮想線３１１は、部分受け部３０４より試薬定量部１３４Ａ側の第一接続流路３０１の部位と交差していたが、これに限定されない。例えば、仮想線３１１は、部分受け部３０４と交差してもよい。この場合、試薬定量部１３４Ａにおいて定量された第一試薬１８は、試薬流路壁面３０８に垂直な方向に遠心力Ｘが付与された場合に、仮想線３１１に沿って部分受け部３０４に向かって流れる。このため、仮想線３１１が部分受け部より混合部８０側の第一接続流路３０１の部位と交差する場合に比べて、より確実に、第一試薬１８を部分受け部３０４に流入させることができる。
【００９５】
また、第二接続流路３３１に設けられている試薬受け部３４１〜３４４の数である４つは、試薬定量部１３４Ａにおいて定量された第一試薬１８の一部を受けることが可能な受け部である部分受け部３０４と試薬受け部３０５との数である２つより大きい。第二接続流路３３１に設けられている試薬受け部の数が、試薬定量部１３４Ａにおいて定量された第一試薬１８の一部を受けることが可能な受け部の数以上であれば、夫々の数は限定されない。この場合でも、第二接続流路３３１の試薬受け部の数が、試薬定量部１３４Ａにおいて定量された第一試薬１８の一部を受けることが可能な受け部より少ない場合に比べて、より確実に、第一試薬１８と検体１７Ａとが混合された後に第二試薬１９を混合部８０に流入させることができる。
【００９６】
仮想面３１７の位置は、混合部８０における、仮想面３１７より検体流路壁面３１２より遠い側の部位と仮想面３１７とによって囲まれる領域３１８の容量が、試薬定量部１３４Ａの容量から部分受け部の容量を引いた差分容量と等しくなる位置であったが、これに限定されない。例えば、検体流路壁面３１２と平な仮想面３１７の位置は、領域３１８の容量が、試薬定量部１３４Ａの容量から部分受け部の容量を引いた差分容量より小さくなる位置であってもよい。この場合において、混合部８０における差分容量の第一試薬１８の液面が検体流路壁面３１２と平行に傾いた場合、第一試薬１８の液面は、仮想面３１７より検体流路壁面３１２側の位置になる。仮想線３１６は、仮想面３１７と交差する。このため、仮想線３１６に沿って流れる検体１７Ａは、仮想面３１７より検体流路壁面３１２側にある第一試薬１８の液面に向かって流れ、第一試薬１８と合流する。故に、検体１７Ａが壁面に付着して乾燥する可能性を低減でき、混合部８０において第一試薬１８と混合される検体の量が減る可能性を低減できる。尚、仮想線３１６と仮想面３１７とが交差しなくてもよい。
【００９７】
また、部分受け部３０４の位置は、限定されない。部分受け部３０４は第一接続流路３０１において、試薬定量部１３４Ａから混合部８０に流れる第一試薬１８のうちの一部を保持可能な位置に設けられていればよい。また、部分受け部３０４は合流孔部３５１より試薬定量部１３４Ａ側に設けられていたが、これに限定されない。例えば、部分受け部３０４が合流孔部３５１より混合部８０側に位置していてもよい。また、測定部８１は、混合部８０の下部であったが、混合部８０とは別に設けられていてもよい。
【００９８】
また、試薬定量流路１３と検体定量流路１１とは、夫々、部分受け部３０４に保持された第一試薬１８以外の第一試薬１８を混合部８０に流入させた後に、検体定量部１１４において定量された検体１７Ａを混合部８０に流入させ、その後、部分受け部３０４に保持された第一試薬１８を混合部８０に流入させる構成を有していた。この構成は、本実施形態に限定されない。
【００９９】
例えば、分離部１２４の代わりに、検体１７を受ける受け部を設けてもよい。この場合、分離部の代わりに設けた受け部によって検体１７を受けることができる。故に、部分受け部３０４に保持された第一試薬１８以外の第一試薬１８を混合部８０に流入させた後に、検体定量部１１４において定量された検体１７を混合部８０に流入させることができる。尚、分離部１２４が設けられない場合、分離されていない検体１７が検体定量部１１４において定量される。また、試薬定量流路１３が備える壁面３０３Ｃと仮想面３６２とがなす角Ｒ１を検体定量流路１１が備える検体流路壁面３１２と仮想面３２１とがなす角Ｒ２より大きくしなくてもよい。この場合、例えば、第一接続流路３０１に、部分受け部３０４において保持された第一試薬１８を受ける受け部を追加してもよい。この場合、追加した受け部によって部分受け部３０４において保持された第一試薬１８が保持されるので、検体定量部１１４において定量された検体１７Ａを混合部８０に流入させた後に、部分受け部３０４に保持された第一試薬１８を混合部８０に流入させることができる。
【０１００】
また、試薬定量流路１５と第二接続流路３３１とは後面２０２側に形成され、試薬定量流路１３と第一接続流路３０１とは前面２０１に形成されていたが、これに限定されない。例えば、試薬定量流路１５、第二接続流路３３１、試薬定量流路１３、及び第一接続流路３０１が前面２０１に形成されてもよい。この場合、第一接続流路３０１と第二接続流路３３１とが合流孔部３５１において合流するのではなく、前面２０１の流路において合流してもよい。また、試薬定量流路１５及び第二接続流路３３１が検査チップ２に設けられなくてもよい。
【符号の説明】
【０１０１】
１    検査装置
２    検査チップ
１１    検体定量流路
１３，１５    試薬定量流路
１７，１７Ａ，１７Ｂ    検体
１８    第一試薬
１９    第二試薬
２０    板材
８０    混合部
１１４    検体定量部
１２８    第二案内部
１２９    検体定量面
１３４，１３４Ａ，１３４Ｂ    試薬定量部
１３９    案内部
１４６    試薬定量面
２０１    前面
２０２    後面
３０１    第一接続流路
３０４    部分受け部
３０５，３４１，３４２，３４３，３４４    試薬受け部
３０８    試薬流路壁面
３１１，３１６    仮想線
３１２    検体流路壁面
３１７，３２０，３２１    仮想面
３３１    第二接続流路
３５１    合流孔部
【図１】
0005958451.tif 000002
【図２】
0005958451.tif 000003
【図３】
0005958451.tif 000004
【図４】
0005958451.tif 000005
【図５】
0005958451.tif 000006
【図６】
0005958451.tif 000007
【図７】
0005958451.tif 000008
【図８】
0005958451.tif 000009
【図９】
0005958451.tif 000010
【図１０】
0005958451.tif 000011